(57)【要約】【課題】  入力フィルタの交換が不要で交換に要する時間を不要にできる周波数変換装置を提供する。【解決手段】ケースには入力端子１１と出力端子１２を備え，前記入力端子１１と出力端子間１２には直列上に介設される入力フィルタ２０・２２と，周波数変換回路２３・２６・２７と，出力フィルタ２４とをそれぞれ備えてなる周波数変換器１０において，前記周波数変換回路２３・２６・２７はミキサー２３と局部発振信号を生成するＰＬＬ回路２７および電圧制御発振器２６からなり，前記入力フィルタ２０・２２はチューナブルバンドパスフィルタで構成され，前記局部発振周波数に対応して前記入力フィルタ２０・２２を通過する周波数帯域を決定する【選択図】  図１
2006013636.tif 000002
【特許請求の範囲】
【請求項１】
ケースには入力端子と出力端子を備え，
前記入力端子と出力端子間には直列上に介設される入力フィルタと，周波数変換回路と，出力フィルタとをそれぞれ備えてなる周波数変換器において，
前記周波数変換回路はミキサーと局部発振信号を生成するＰＬＬ回路および電圧制御発振器からなり，
前記入力フィルタはチューナブルバンドパスフィルタで構成され，
前記局部発振周波数に対応して前記入力フィルタを通過する周波数帯域を決定するようにしたことを特徴とした周波数変換装置。
【請求項２】
前記入力フィルタは前記電圧制御発振器に供給する制御電圧に対応して通過する周波数帯域を決定するようにしたことを特徴とした請求項１に記載の周波数変換装置。
【請求項３】
前記ＰＬＬ回路を制御する制御装置を備え，
前記制御装置は前記ＰＬＬ回路の制御と対応したフィルタ制御信号を出力し，前記入力フィルタはフィルタ制御信号に対応して通過する周波数帯域を決定するようにしたことを特徴とした請求項１に記載の周波数変換装置。
【発明の詳細な説明】
【技術分野】
【０００１】
本発明は，ＣＡＴＶシステムで使用する周波数変換装置に関するものである。
【背景技術】
【０００２】
ＣＡＴＶシステムのうち特にヘッドエンドで使用する周波数変換装置や受信増幅器は，ケースに複数の入力端子と出力端子とを備え，さらに，上記複数の入力端子の夫々と出力端子間には夫々直列状に介設される入力回路と増幅回路と出力フィルタをそれぞれ備えている。
そして，周波数変換装置や受信増幅器は，工場から出荷するにあたり，注文者の要求する複数のテレビチャンネルに夫々適合する各入力回路ユニット及び，出力フィルタが夫々対応する接続端子に接続されその状態で出荷される。なお，上記入力回路ユニットのうち一部あるいは全部は周波数変換器が用いられる場合があり，その場合，出力フィルタとしてその変換した後のチャンネルの信号を通すものが用いられる。
使用現場においては，上記ケースは電柱その他の固定物に取り付けられる。そして入力端子には各チャンネルに対応した専用のアンテナまたは複数のテレビ信号を一つのアンテナで受信して，受信機器側で夫々分離して信号処理されＣＡＴＶ伝送路へ出力されるようになっている。（例えば，特許文献１参照）。
【０００３】
【特許文献１】特開昭５９−７００１０号公報
【発明の開示】
【発明が解決しようとする課題】
【０００４】
近年，地上波ディジタル放送が普及する兆しが見え始めている。地上波ディジタル放送は現在地上波アナログ放送に使用しているＵＨＦ帯の電波を使用して放送される。そして，移行時にはアナログとディジタルの両方が放送されることになり，時間経過と共に，ディジタル放送の受信世帯が所定値を超えた段階で，アナログ放送を中止し，すべてディジタル放送に切り換わることになっている。そして，切り換え完了後，周波数の有効利用の目的から，地上波ディジタル放送の伝送チャンネルの変更作業が予定されている。
ところが，上記提案の技術では周波数変換装置や受信増幅器を設置後，伝送チャンネル（伝送周波数）が変更になると，入力フィルタを再調整するか調整済みの新しいフィルタに交換しなければならないという問題があった。
また，入力フィルタの交換に時間がかかることから停波が避けられず利用者に迷惑をかけてしまうという問題があった。
【０００５】
そこで本願においては，こうした問題点を解決するためになされたものであり，その目的は，入力フィルタの交換が不要で交換に要する時間を不要にできる周波数変換装置を提供することである。
他の目的は，回路構成を簡単にでき，製造が容易な周波数変換装置を提供することである。
他の目的は，設計が容易でトータルコストを低減できる周波数変換装置を提供することである。
【課題を解決するための手段】
【０００６】
上記課題を解決するために，請求項1の発明は，ケースには入力端子と出力端子を備え，前記入力端子と出力端子間には直列上に介設される入力フィルタと，周波数変換回路と，出力フィルタとをそれぞれ備えてなる周波数変換器において，前記周波数変換回路はミキサーと局部発振信号を生成するＰＬＬ回路および電圧制御発振器からなり，前記入力フィルタはチューナブルバンドパスフィルタで構成され，前記局部発振周波数に対応して前記入力フィルタを通過する周波数帯域を決定するように構成される。
【０００７】
請求項２の発明は，請求項１に記載の周波数変換装置において，前記入力フィルタは前記電圧制御発振器に供給する制御電圧に対応して通過する周波数帯域を決定するように構成される。
【０００８】
請求項３の発明は，請求項１に記載の周波数変換装置において，前記ＰＬＬ回路を制御する制御装置を備え，前記制御装置は前記ＰＬＬ回路の制御と対応したフィルタ制御信号を出力し，前記入力フィルタはフィルタ制御信号に対応して通過する周波数帯域を決定するように構成される。
【発明の効果】
【０００９】
請求項１の発明によれば，ケースには入力端子と出力端子を備え，前記入力端子と出力端子間には直列上に介設される入力フィルタと，周波数変換回路と，出力フィルタとをそれぞれ備えてなる周波数変換器において，前記周波数変換回路はミキサーと局部発振信号を生成するＰＬＬ回路および電圧制御発振器からなり，前記入力フィルタはチューナブルバンドパスフィルタで構成され，前記局部発振周波数に対応して前記入力フィルタを通過する周波数帯域を決定するように構成したので，
入力フィルタの交換が不要で交換に要する時間を不要にできる周波数変換装置を提供することができる。
【００１０】
請求項２の発明によれば，請求項１に記載の周波数変換装置において，前記入力フィルタは前記電圧制御発振器に供給する制御電圧に対応して通過する周波数帯域を決定するように構成したので，
請求項１の効果に加えて，回路構成を簡単にでき，製造が容易な周波数変換装置を提供することができる。
【００１１】
請求項３の発明によれば，請求項１に記載の周波数変換装置において，前記ＰＬＬ回路を制御する制御装置を備え，前記制御装置は前記ＰＬＬ回路の制御と対応したフィルタ制御信号を出力し，前記入力フィルタはフィルタ制御信号に対応して通過する周波数帯域を決定するように構成したので，
請求項１の効果に加えて，設計が容易でトータルコストを低減できる周波数変換装置を提供することができる。
【発明を実施するための最良の形態】
【００１２】
以下に，本発明を具体化した実施形態の例を，図面を基に詳細に説明する。
【実施例１】
【００１３】
図１は本発明を適用した周波数変換装置のブロック図を示している。
１は受信アンテナで本実施例では地上波ディジタル放送を受信するためのＵＨＦ（４７０〜７７０ＭＨｚ）アンテナが使用されている。１０は周波数変換装置であり，ケースの壁面には前記地上波ディジタル放送信号を入力するための入力端子１１と，ＣＡＴＶ伝送路に信号を出力するための出力端子１２が備えられている。
【００１４】
次に周波数変換装置１０について詳しく説明する。
周波数変換装置１０の内部には，受信チャンネル（例えば，特定の１チャンネル）の放送信号が通過でき，受信チャンネルのイメージ周波数信号及び，不要な信号の通過を阻止できるチューナブルバンドパスフィルタで構成された第１の入力フィルタ２０，受信チャンネルの放送信号を所定量増幅する増幅器２１，第１の入力フィルタ２０と同一の特性の第２入力フィルタ２２，周波数変換回路としてのミキサー２３，周波数変換後の中間周波信号（例えば，５７ＭＨｚ帯）のみ通過可能なバンドパスフィルタ２４（例えば，５３〜５９ＭＨｚ），中間周波信号を所定量増幅する増幅器２５が直列状に接続されている。
【００１５】
次に，２６は電圧制御発振器（ＶＣＯとも言う）で印加するチューニング電圧により発振周波数が制御できるように構成された発振器である。２７は周知のＰＬＬ回路である。２８は制御装置であり，前記ＰＬＬ回路２７に対して，発振周波数の制御を行うためのものである。２９は入力装置で，受信チャンネルを設定するためのものである。本実施例では，ディップスイッチを使用している。
なお，周波数変換回路はミキサー２３と局部発振信号を生成するＰＬＬ回路２７および電圧制御発振器２６から構成されている。
【００１６】
次に動作について説明する。
まず，前記周波数変換装置１０に電源が投入されると，制御装置２８が動作を開始する。
制御装置２８は前記入力装置２９の状態をモニターして前回と比べて変化があったときは内部の記憶装置に記憶されている受信チャンネルデータを更新するようになっている。そして，記憶装置に記憶されている受信チャンネルデータに基づき，ＰＬＬ回路２７に出力するための分周数を算出して，前記ＰＬＬ回路２７に対して，制御信号を出力する。ＰＬＬ回路２７は前記電圧制御発振器２６の出力信号と内部の基準信号の位相が同期するように制御しながら安定した局部発振信号を生成する。生成した局部発振信号はミキサー２３に供給される。
【００１７】
一方，電圧制御発振器２６に入力されているチューニング電圧は第１の入力フィルタ２０と第２入力フィルタ２２にも供給されており，入力フィルタ２０・２２（チューナブルバンドパスフィルタ）は受信チャンネル（例えば，特定の１チャンネル）の放送信号のみが通過でき，受信チャンネルのイメージ周波数信号及び，不要な信号の通過を阻止している。
【００１８】
受信アンテナ１で受信した４７０〜７７０ＭＨｚ帯の地上波ディジタル放送信号は入力端子１１を介して周波数変換装置１０に取り込まれ，第１の入力フィルタ２０，受信チャンネルの放送信号を所定量増幅する増幅器２１，第２入力フィルタ２２を介して特定の１チャンネル分の放送信号がミキサー２３に供給される。ミキサー２３ではこの特定チャンネルの放送信号と電圧制御発振器２６からの局部発振信号から出力周波数一定の中間周波信号に周波数変換している。ミキサー２３から出力された中間周波信号は，中間周波信号（例えば，５３〜５９ＭＨｚ）のみ通過可能なバンドパスフィルタ２４および中間周波信号を所定量増幅する増幅器２５を介して出力端子１２から出力され，図示しないＣＡＴＶ伝送路に供給され下流に伝送される。
【００１９】
ところで，地上波ディジタル放送の伝送チャンネルの変更作業が発生した場合は，前記入力装置２９を操作するだけで自動的に受信周波数（受信チャンネル）を変更することができ，入力フィルタを交換する必要がないので受信チャンネル変更に伴う停波も発生しないという優れた効果を奏する。
【実施例２】
【００２０】
次に本発明の第２の実施形態として図２を参照して説明する。尚，以下の説明では，上記第１の実施形態の周波数変換装置と同様の構成要素については同一符号を付与し，詳細な説明は省略する。
図２において，１００は周波数変換装置であり，３０はディジタル／アナログ変換器（Ｄ/Ａコンバータ）である。制御装置２８は受信チャンネルに対応するデジタルデータを出力するようになっている。そして，デジタルデータは前記ディジタル／アナログ変換器３０でアナログ信号に変換され前記第１の入力フィルタ２０および第２入力フィルタ２２にフィルタ制御信号を供給するようになっている。このように構成したので，設計が容易でトータルコストを低減できる周波数変換装置を提供することができる。
【００２１】
尚，本発明は上記実施の形態に限定されるものではなく，以下に例示するように，本発明の趣旨を逸脱しない範囲で各部を適宜に変更して実施することも可能である。
例えば，本実施例では入力フィルタを前段と後段の２つに分けたが，必要に応じて前段または後段だけでも良いし，３以上直列状に接続してもよい。
【図面の簡単な説明】
【００２２】
【図１】本発明を適用した周波数変換装置のブロック図である。
【図２】異なる実施例の周波数変換装置のブロック図である。
【符号の説明】
【００２３】
１…受信アンテナ，１０…周波数変換装置，１１…入力端子，１２…出力端子，２０…入力フィルタ（チューナブルバンドパスフィルタ），２１…増幅器，２２…入力フィルタ（チューナブルバンドパスフィルタ），２３…ミキサー，２４…バンドパスフィルタ，２５…増幅器，２６…電圧制御発振器（ＶＣＯ），２７…ＰＬＬ回路，２８…制御装置，２９…入力装置，３０…ディジタル／アナログ変換器（Ｄ/Ａ），１００…周波数変換装置。
【図１】
2006013636.tif 000003
【図２】
2006013636.tif 000004